(57)【要約】【課題】  外光による最適な温度上昇、プライバシーの確保、および不法侵入に対する防護を同時に行なうことができる、建物の開閉部のためのロールシャッタを提供する。【解決手段】  このロールシャッタは、引き込み位置と展開位置との間で変位することができる、引き込み可能な閉塞パネル（１２０）と、引き込み位置と展開位置との間で、閉塞パネルを駆動するための駆動装置とを備えている。またこのロールシャッタは、引き込み位置と、第１の平面上の展開位置との間の第１の経路に沿って、または引き込み位置と、第１の平面に平行な第２の平面上の展開位置との間の第２の経路に沿って、閉塞パネル（１２０）を選択的に案内するための案内装置であって、閉塞パネル（１２０）の変位を、第１の経路と第２の経路とのうちのどちらかに選択的に切り換えるように構成されている案内装置を備えている。【選択図】図１
2013540219.tif 000002
【特許請求の範囲】
【請求項１】
−  引き込み位置と展開位置との間で変位することができる、引き込み可能な閉塞パネル（１２０）と、
−  前記引き込み位置と前記展開位置との間で、前記閉塞パネルを駆動するための駆動装置（１５０）と、
−  前記引き込み位置と、第１の平面上の展開位置との間の第１の経路に沿って、または前記引き込み位置と、前記第１の平面に平行な第２の平面上の展開位置との間の第２の経路に沿って、前記閉塞パネル（１２０）を選択的に案内するための案内装置（１３３，１３４，１３５，１１１）であって、前記閉塞パネル（１２０）の変位を、前記第１の経路と前記第２の経路とのうちのどちらかに選択的に切り換えるように構成されている案内装置とを備えている、建物の開閉部（２０２）のためのロールシャッタ（１００）であって、
−  前記駆動装置によって、１つの軸のまわりに回転駆動され、前記閉塞パネルが前記引き込み位置にあるときに、前記閉塞パネルを巻き付けているシャフト（１３０）であって、前記閉塞パネルの引き込みのための回転の向き、または該引き込みのための回転の向きと逆向きである、前記閉塞パネルの展開のための回転の向きに選択的に駆動されるように構成されているシャフトと、
−  前記閉塞パネルの展開の経路の切り換えのために用いられる展開切り換えストッパ（１３４）であって、前記閉塞パネルは、前記閉塞パネルが前記引き込み位置にあるときに、前記シャフトが前記引き込みのための回転の向きに連続的に回転すると、前記引き込み位置に維持されずに、前記展開切り換えストッパに接するようになるように構成されており、前記閉塞パネルが前記展開切り換えストッパ（１３４）に接しており、かつ前記シャフトが前記展開のための回転の向きに駆動されるときには、前記展開切り換えストッパ（１３４）は、前記閉塞パネルを前記第２の経路に沿って案内し、前記閉塞パネルが前記展開切り換えストッパ（１３４）に接しておらず、かつ前記シャフトが前記展開のための回転の向きに駆動されるときには、前記閉塞パネルは、前記第１の経路に沿って案内される展開切り換えストッパ（１３４）とをさらに備えていることを特徴とするロールシャッタ。
【請求項２】
前記閉塞パネル（１２０）を、前記第１および第２の経路に沿って、それぞれ変位させるための第１および第２の開口（１６１、１６２）を形成されており、前記閉塞パネル（１２０）を、前記引き込み位置に収容し、前記閉塞パネルを、前記展開位置に突き出させるハウジング（１１０）と、さらに、前記閉塞パネル（１２０）が前記第２の経路に沿って変位するときに、前記第１の開口（１６１）を塞ぎ、前記閉塞パネルが前記第１の経路に沿って変位するときに、前記第２の開口（１６２）を塞ぐ遮蔽装置（１４０、１４１、１４２）とを備えている、請求項１に記載のロールシャッタ。
【請求項３】
前記ハウジング（１１０）内に収容されており、前記閉塞パネル（１２０）が前記第１および第２の経路のうちのいずれか一方に沿って変位するときに、前記閉塞パネルを擦るブラッシング装置を備えている、請求項２に記載のロールシャッタ。
【請求項４】
前記第１および第２の経路の各々に沿って、前記閉塞パネルを案内するために、前記ハウジング（１１０）の下方に垂直に配置されているスライドレール（１１１）を備えている、請求項２または３に記載のロールシャッタ。
【請求項５】
前記閉塞パネルは、前記引き込み位置において、前記ハウジング（１１０）の内部に完全に引き込まれている、請求項２〜４のいずれか１つに記載のロールシャッタ。
【請求項６】
前記閉塞パネル（１２０）は、太陽熱コレクタとして働く１つの面を有している、請求項１〜５のいずれか１つに記載のロールシャッタ。
【請求項７】
前記閉塞パネルは、隣接し合う２つのスラットが、前記シャフトの軸に平行な軸のまわりに関節運動をすることができるように互いに連結されている複数のスラット（１２１）を有しており、該複数のスラットは、隣接し合う２つのスラットが互いに離れたり、くっ付き合ったりすることができるように連結されており、隣接し合う２つのスラットを引き離すような作用を受けると、それらの２つのスラットの間に間隙（１２３）が生じ、該隣接し合う２つのスラットを互いに近づけると、該間隙（１２３）が閉じるように構成されている、請求項１〜６のいずれか１つに記載のロールシャッタ。
【請求項８】
前記駆動装置は、前記引き込み位置または前記展開位置に向けて、前記閉塞パネルを選択的に駆動するように構成されている歯車付きモータ（１５０）と、前記閉塞パネルの引き込みまたは展開のための指令を受けるための、ユーザによってアクセス可能な制御インターフェイスを有し、前記歯車付きモータを制御するための制御回路（１５１）とを備えている、請求項１〜７のいずれか１つに記載のロールシャッタ。
【請求項９】
前記展開切り換えストッパ（１３４）は、前記引き込み位置に巻き上げられた状態の前記閉塞パネル（１２０）の真下になるように配置されており、かつ前記シャフト（１３０）の回転の軸に対して横方向にずれている、請求項１〜８のいずれか１つに記載のロールシャッタ。
【請求項１０】
前記閉塞パネル（１２０）は、重力の作用によって、前記展開切り換えストッパ（１３４）に接する方向に誘導されるように構成されている、請求項９に記載のロールシャッタ。
【請求項１１】
−  請求項１〜１０のいずれか１つに記載のロールシャッタ（１００）と、
−  第１の平面と第２の平面との間に配置されているガラス（２０３）とを
備えている、建物の開閉部（２０２）。
【請求項１２】
前記建物の開閉部は、請求項８に記載のロールシャッタ（１００）を備えており、展開切り換えストッパ（１３４）が、ハウジング（１１０）内に収容されており、引き込み位置に巻き上げられているときの閉塞パネルから、その一端部が突き出ており、第１の経路から第２の経路への切り換えのための指令を、制御インターフェイスが受けると、前記閉塞パネルの前記一端部（１２２）が前記展開切り換えストッパ（１３４）に接するようになるまで、前記閉塞パネルの引き込みのための回転の向きの、シャフト（１３０）の予備回転が起こり、次いで、前記閉塞パネルの展開のための回転の向きの、前記シャフトの回転が起こるようになっている、請求項１１に記載の建物の開閉部。
【請求項１３】
前記閉塞パネル（１２０）が、前記第２の平面上で展開位置を占めているときに、前記ガラス（２０３）と前記閉塞パネル（１２０）との間の空間と、前記閉塞パネルの後方の空間とを、下部開口（２０６、２０７）および上部間隙が連絡している、請求項１１または１２に記載の建物の開閉部。
【請求項１４】
下方に前記下部開口（２０６）が形成されている経路端ストッパ（２０５）と、前記閉塞パネルの一端が、該経路端ストッパ（２０５）に接し、かつ前記閉塞パネルの上部において、前記上部間隙を形成するように、スラット（１２１）同士が依然として離れているときに、前記第２の平面上の前記閉塞パネルの動きを停止させる制御回路（１５１）とを有する、請求項７に記載のロールシャッタ（１００）を備えている、請求項１３に記載の建物の開閉部。
【請求項１５】
−  引き込み可能な閉塞パネル（１２０）の引き込みのための回転の向きにシャフトを回転駆動することによって、前記閉塞パネル（１２０）を、第１の経路に沿って案内して、第１の平面上の展開位置から、前記閉塞パネルが前記シャフトの周囲に巻き上げられている引き込み位置に変位させるステップと、
−  前記閉塞パネルが展開切り換えストッパに接するようになるまで、前記シャフトを、前記引き込みのための回転の向きに回転させるステップと、
−  前記閉塞パネルが前記展開切り換えストッパに接すると、前記引き込みのための回転の向きと反対の向きの、前記閉塞パネルの展開のための回転の向きに、前記シャフトを回転駆動することによって、前記閉塞パネル（１２０）を、第２の経路に沿って案内して、前記引き込み位置から、前記第１の平面に平行な第２の平面上の展開位置に変位させるステップとを含む、建物の開閉部のロールシャッタを制御する方法。
【発明の詳細な説明】
【技術分野】
【０００１】
本発明は、ドアや窓などの、建物の開閉部に組み合わされるロールシャッタに関する。
【背景技術】
【０００２】
ドアや窓に外側閉塞物を取り付けることは、建築分野において広く行なわれている。外側閉塞物は、建物の開閉部と外部環境との間に配置される。したがって、外側閉塞物は、その閉位置において、開閉部を通る熱、音、および視線を遮断することができる。したがって、外側閉塞物は、その閉位置において、居住空間内のプライバシーを確保し、建物を不法侵入から防護し（特に１階において）、夏季における過度の温度上昇や、冬季における熱漏洩を避けるために、熱交換を制限して、厳しい天候から開閉部を保護し、また、居住空間内の光量を制限するようになっている。他方、外側閉塞物は、その開位置にあるときに、居住空間内への日光の流入を可能にする。建物の付属品のなかで、外側閉塞物は、建物と外部との間のエネルギーの交換と、建物から得られる視覚的または聴覚的な快適さとの両方を、動的に調整することができる、優れたコンポーネントである。
【０００３】
市場に出ている多くの外側閉塞物は、ロールシャッタの形態をとっている。ロールシャッタは、閉位置において閉塞パネルとなる、互いに組み合わされた一群の不透明なスラットを備えている。したがって、閉位置において形成された閉塞パネルは、開閉部の外側に位置する。スラットは、開位置において、１つのシャフトの周囲に巻き上げられて、ハウジング内に収容されている。スラットは、外側閉塞物すなわちロールシャッタの開閉のために、選択的に、ドラム上に巻き上げられたり、ドラムから繰り出されたりする。ドラムの駆動は、手回しハンドルを用いて手動で、またはユーザによって制御される歯車付きモータを用いて電気的に、建物の内部から行なうことができる。
【０００４】
特許文献１に、シャフトによって回転駆動される閉塞パネルを有するロールシャッタが開示されている。このロールシャッタは、シャフトの同じ向きの連続回転によって、閉塞パネルを、第１の平面上に配置されるように展開させ、次いで、同じ閉塞パネルを、この第１の平面から引き込めることが連続してできるようになっている。さらに、閉塞パネルを、第２の平面上に展開させることもできる。
【先行技術文献】
【特許文献】
【０００５】
【特許文献１】米国特許第３０８９５４０号公報
【発明の概要】
【発明が解決しようとする課題】
【０００６】
特に冬季において、このロールシャッタのユーザは、外光による最適な温度上昇を得る（閉塞パネルを引き込めておくことによって）という利益と、プライバシーを確保し、不法侵入に対する防護機能を高める（閉塞パネルを展開させておくことによって）という利益との両方を、同時に享受することはできない。
【課題を解決するための手段】
【０００７】
本発明は、この欠点を解決することを目的としている。この目的を達成するために、本発明は、次のものを備えている、建物の開閉部のためのロールシャッタを提供するものである。
−  引き込み位置と展開位置との間で変位することができる、引き込み可能な閉塞パネルと、
−  引き込み位置と展開位置との間で、閉塞パネルを駆動するための駆動装置と、
−  引き込み位置と、第１の平面上の展開位置との間の第１の経路、または引き込み位置と、第１の平面に平行な第２の平面上の展開位置との間の第２の経路に沿って、閉塞パネルを選択的に案内するための案内装置であって、閉塞パネルの変位を、第１の経路と第２の経路とのうちのどちらかに選択的に切り換えるように構成されている案内装置。
【０００８】
このロールシャッタは、さらに、次のものを備えている。
−  駆動装置によって、１つの軸のまわりに回転駆動され、閉塞パネルが引き込み位置にあるときに、閉塞パネルを巻き付けているシャフトであって、閉塞パネルの引き込みのための回転の向き、または引き込みのための回転の向きと逆向きである、閉塞パネルの展開のための回転の向きに選択的に駆動されるように構成されているシャフトと、
−  閉塞パネルの展開の経路の切り換えのために用いられる展開切り換えストッパであって、閉塞パネルは、閉塞パネルが引き込み位置にあるときに、シャフトが引き込みのための回転の向きに連続的に回転すると、引き込み位置に維持されずに、展開切り換えストッパに接するようになるように構成されており、閉塞パネルが展開切り換えストッパに接しており、かつシャフトが展開のための回転の向きに駆動されるときには、展開切り換えストッパは、閉塞パネルを第２の経路に沿って案内し、閉塞パネルが展開切り換えストッパに接しておらず、かつシャフトが展開のための回転の向きに駆動されるときには、閉塞パネルは、第１の経路に沿って案内される展開切り換えストッパ。
【０００９】
一変形例によれば、ロールシャッタは、閉塞パネルを、第１および第２の経路に沿って、それぞれ変位させるための第１および第２の開口を有し、かつ閉塞パネルを、引き込み位置に収容し、閉塞パネルを、展開位置に突き出させるハウジングと、閉塞パネルが第２の経路に沿って変位するときに、第１の開口を塞ぎ、かつ閉塞パネルが第１の経路に沿って変位するときに、第２の開口を塞ぐ遮蔽装置とを備えている。
【００１０】
さらなる一変形例によれば、ロールシャッタは、ハウジング内に収容されており、閉塞パネルが、第１および第２の経路のうちのいずれか一方に沿って変位するときに、閉塞パネルを擦るブラッシング装置を備えている。
【００１１】
別の一変形例によれば、ロールシャッタは、第１および第２の経路の各々に沿って、閉塞パネルを案内するための、ハウジングの下方に垂直に配置されているスライドレールを備えている。
【００１２】
さらに別の一変形例によれば、この閉塞パネルは、引き込み位置において、ハウジングの内部に完全に引き込まれている。
【００１３】
一変形例によれば、閉塞パネルは、太陽熱コレクタとして働く１つの面を有している。
【００１４】
さらなる一変形例によれば、閉塞パネルは、隣接し合う２つのスラットが、シャフトの軸に平行な軸のまわりに関節運動をすることができるように互いに連結されている複数のスラットを有しており、これらの複数のスラットは、隣接し合う２つのスラットが互いに離れたり、くっ付き合ったりすることができるように連結されており、隣接し合う２つのスラットを引き離すような作用を受けると、それらの２つのスラットの間に間隙が生じ、隣接し合う２つのスラットを互いに近づけると、間隙が閉じるように構成されている。
【００１５】
別の一変形例によれば、駆動装置は、引き込み位置または展開位置に向けて、閉塞パネルを選択的に駆動するように構成されている歯車付きモータと、閉塞パネルの引き込みまたは展開のための指令を受けるための、ユーザによってアクセス可能な制御インターフェイスを有して、歯車付きモータを制御するための制御回路とを備えている。
【００１６】
さらに別の一変形例によれば、展開切り換えストッパは、引き込み位置に巻き上げられた状態の閉塞パネルの真下になるように配置されており、かつシャフトの回転の軸に対して横方向にずれている。
【００１７】
一変形例によれば、閉塞パネルは、重力の作用によって、展開切り換えストッパに接する方向に誘導されるようになっている。
【００１８】
本発明はさらに、次のものを備えている建物の開閉部を提供するものである。
−  上述のロールシャッタと、
−  第１の平面と第２の平面との間に配置されているガラス。
【００１９】
一変形例によれば、建物の開閉部は、ロールシャッタを備えており、展開切り換えストッパが、ハウジング内に収容されており、引き込み位置に巻き上げられているときの閉塞パネルから、その一端部が突き出ており、第１の経路から第２の経路への切り換えのための指令を、制御インターフェイスが受けると、閉塞パネルの一端部が展開切り換えストッパに接するようになるまで、閉塞パネルの引き込みのための回転方向におけるシャフトの予備回転が起こり、次いで、閉塞パネルの展開のための回転方向におけるシャフトの回転が起こる。
【００２０】
別の一変形例によれば、閉塞パネルが、第２の平面上で展開位置を占めているときに、ガラスと閉塞パネルとの間の空間と、閉塞パネルの後方の空間とを、下部開口および上部間隙が連絡している。
【００２１】
さらなる一変形例によれば、開閉部は、下方に下部開口が形成されている経路端ストッパと、閉塞パネルの一端が、経路端ストッパに接し、かつ閉塞パネルの上部において、上部間隙を形成するように、スラット同士が依然として離れているときに、第２の平面上の閉塞パネルの動きを停止させる制御回路とを有するロールシャッタを備えている。
【００２２】
本発明は、さらに、次のステップを含む建物の開閉部のロールシャッタを制御する方法を提供する。
−  引き込み可能な閉塞パネルの引き込みのための回転の向きにシャフトを回転駆動することによって、閉塞パネルを、第１の経路に沿って案内して、第１の平面上の展開位置から、閉塞パネルがシャフトの周囲に巻き上げられている引き込み位置に変位させるステップと、
−  閉塞パネルが展開切り換えストッパに接するようになるまで、シャフトを、引き込みのための回転の向きに回転させるステップと、
−  閉塞パネルが展開切り換えストッパに接すると、引き込みのための回転の向きと反対の向きの、閉塞パネルの展開のための回転の向きに、シャフトを回転駆動することによって、閉塞パネルを、第２の経路に沿って案内して、引き込み位置から、第１の平面に平行な第２の平面上の展開位置に変位させるステップ。
【００２３】
添付図面を参照して、例示的であり、いかなる限定的な意味も有しない、以下の本発明に関する説明を読むことによって、本発明の上記以外の特徴および利点が明らかになると思う。
【図面の簡単な説明】
【００２４】
【図１】本発明の一実施形態によるロールシャッタが据え付けられている、建物の開閉部の正面図である。
【図２】図１の開閉部の縦断側面図である。
【図３】図１のロールシャッタの横断平面図である。
【図４】図３のロールシャッタのハウジングの内部の拡大縦断側面図である。
【図５】建物の外側への閉塞パネルの展開の一段階における、図３のロールシャッタの縦断側面図である。
【図６】建物の外側への閉塞パネルの展開の、図５における段階に続く一段階における、図３のロールシャッタの縦断側面図である。
【図７】建物の外側への閉塞パネルの展開の、図６における段階に続く一段階における、図３のロールシャッタの縦断側面図である。
【図８】建物の外側への閉塞パネルの展開の、図７における段階に続く一段階における、図３のロールシャッタの縦断側面図である。
【図９】建物の内側への閉塞パネルの展開の一段階における、図３のロールシャッタの縦断側面図である。
【図１０】建物の内側への閉塞パネルの展開の、図９における段階に続く一段階における、図３のロールシャッタの縦断側面図である。
【図１１】建物の内側への閉塞パネルの展開の、図１０における段階に続く一段階における、図３のロールシャッタの縦断側面図である。
【図１２】建物の内側への閉塞パネルの展開の、図１１における段階に続く一段階における、図３のロールシャッタの縦断側面図である。
【図１３】建物の内側から外側への閉塞パネルの配置切り換えの一段階における、図３のロールシャッタの縦断側面図である。
【図１４】建物の内側から外側への閉塞パネルの配置切り換えの、図１３における段階に続く一段階における、図３のロールシャッタの縦断側面図である。
【図１５】建物の内側から外側への閉塞パネルの配置切り換えの、図１４における段階に続く一段階における、図３のロールシャッタの縦断側面図である。
【図１６】本発明の一変形例によるロールシャッタのハウジングの内部の拡大縦断側面図である。
【発明を実施するための形態】
【００２５】
本発明は、建物の開閉部に取り付けられる、引き込み可能な閉塞パネルを備えるロールシャッタを制御する方法を提供するものである。このロールシャッタの制御は、閉塞パネルの展開を、開閉部の外側の第１の経路に沿って、または開閉部の内側の第２の経路に沿って、選択的に案内するように行なわれる。閉塞パネルの各経路は、引き込み位置と展開位置との間に定められる。互いに平行で、かつ互いに空間的に隔たっている２つの平面上に、それぞれ１つの展開位置が画定される。閉塞パネルは、その引き込み位置において、駆動装置によって、１つの軸のまわりに、閉塞パネルの引き込みのための回転の向き、または展開のための回転の向きに選択的に回転駆動されるシャフトの周囲に巻き上げられている。これらの２つの回転の向きは、互いに逆方向である。ロールシャッタは、さらに、展開切り換えストッパを備えている。閉塞パネルは、閉塞パネルがその引き込み位置にあるときに、シャフトが引き込みのための回転の向きに連続的に回転すると、引き込み位置に維持されずに、この展開切り換えストッパに接するようになるように構成されている。閉塞パネルが展開切り換えストッパに接しており、かつシャフトが展開のための回転の向きに駆動されるときには、展開切り換えストッパは、閉塞パネルを、第２の経路に沿って案内する。閉塞パネルが展開切り換えストッパに接しておらず、かつシャフトが展開のための回転の向きに駆動されるときには、閉塞パネルは、第１の経路に沿って案内される。
【００２６】
本発明は、ロールシャッタの従来の機能、すなわち開閉部の遮蔽状態を選択する機能、外光の採取状態を選択する機能、不法侵入に対する防護状態を選択する機能、および熱伝達状態を選択する機能を備えている。このロールシャッタを用いることによって、さらに、閉塞パネルが建物の内部にある状態において、日光から熱への変換を通じて、建物の外部からのエネルギーの供給を選択的に受けることができる温室効果を享受することができる。したがって、このロールシャッタのユーザは、建物の内部を見えなくし、また不法侵入に対する防護を損なわず、同時に、冬季において、建物の外部からのエネルギーの供給を受けることができる。
【００２７】
図１は、本発明によるロールシャッタ１００を据え付けられている、建物の開閉部２０２の正面図である。図２は、この同じ開閉部２０２の側断面図である。開閉部２０２は、壁２０１に形成されている開口に配置されており、建物の内部へのアクセスを可能にするガラス窓である。開閉部２０２は、フレーム２０４に嵌め込まれたガラス２０３を有している。本明細書においては、本発明を、このような窓に対して適用した例について説明するが、言うまでもなく、本発明は、ドアやフランチドアなどの、建物の他の任意のタイプの開閉部にも適用することができる。
【００２８】
ロールシャッタ１００は、壁２０１の開口の上側部分に配置されているハウジング１１０を備えている。ハウジング１１０は、引き込み可能な閉塞パネル１２０を収容するように作られている。閉塞パネル１２０は、公知のように、互いに関節結合されている複数の不透明なスラット１２１を有している。閉塞パネル１２０は、閉塞パネル１２０がハウジング１１０の内部に引き込められている引き込み位置と、展開位置との間で変位することができる。
【００２９】
図３に示すように、ロールシャッタ１００は、閉塞パネル１２０を、引き込み位置と展開位置との間で変位するように駆動するための駆動装置を備えている。駆動装置は、公知のように、シャフト１３０を有している。シャフト１３０は、壁２０１の開口を横切る方向に延在している。シャフト１３０は、軸受１３１および１３２に、回転可能に嵌め込まれている。シャフト１３０は、このシャフト１３０が回転駆動されたときに、その周囲に、閉塞パネル１２０を巻き上げることができるように作られている。引き込み位置においては、閉塞パネル１２０は、シャフト１３０の周囲に巻き上げられている。閉塞パネル１２０の隣接し合う２つのスラット１２１は、シャフト１３０の軸に平行な軸のまわりで関節運動するように、互いに連結されており、したがって、それらのスラット１２１の巻き上げが可能である。スラット１２１は、さらに、公知のように、互いに離れたり、くっ付き合ったりすることができるように連結されていることが好ましい。すなわち、スラット１２１は、隣接し合う２つのスラット１２１を引き離そうとする作用を受けたときに、それらの２つのスラット１２１の間に間隙１２３が生じ、それらの２つのスラット１２１を互いに近づけると、間隙１２３が閉じるように連結されている。閉塞パネル１２０は、自由端を有する１つの下端スラット１２２を備えている。
【００３０】
閉塞パネル１２０の引き込みのための回転の向きと、閉塞パネル１２０の展開のための回転の向きとのどちらにも、シャフト１３０を回転駆動することができる。制御回路１５１によって制御される歯車付きモータ１５０を用いて、シャフト１３０を回転駆動することが好ましい。歯車付きモータ１５０および制御回路１５１は、ハウジング１１０の内部に収容されている。歯車付きモータ１５０は、次に説明するように、閉塞パネル１２０を、引き込み位置、または展開位置に向かって、選択的に駆動することができる。制御回路１５１は、ユーザによってアクセス可能な制御インターフェイスとなるリモコン２１０、または壁面スイッチモジュールと組み合わされていることが好ましい。リモコン２１０は、ユーザが、建物の内部においても、外部においても、閉塞パネル１２０の引き込み、または展開を指令することができる、いくつかのボタン２１１を備えている。
【００３１】
ロールシャッタ１００は、閉塞パネル１２０を、引き込み位置と、建物の外側の第１の平面上の展開位置との間の第１の経路に沿って、または引き込み位置と、建物の内側の第２の平面上の展開位置との間の第２の経路に沿って、選択的に案内するための案内装置を備えている。閉塞パネル１２０の展開位置は、建物の内側と外側を分離しているガラス２０３の各側に１つずつ存在する。第１の平面と第２の平面とは、互いに平行で、かつ空間的に隔たっている。案内装置は、閉塞パネル１２０の変位の経路を、第１の経路と第２の経路とで切り替えるように構成されている。したがって、建物の内側と外側とのどちらでも、閉塞パネル１２０を展開でき、有利である。
【００３２】
案内装置は、ハウジング１１０の下方に垂直に配置されており、かつ各１対がそれぞれ第１の経路および第２の経路に沿って閉塞パネル１２０を案内する、２対のスライドレール１１１を有していることが好ましい。このために、スライドレール１１１は、閉塞パネル１２０の側端を支えており、閉塞パネル１２０が第１および第２の平面上に展開することを可能にしている。
【００３３】
ロールシャッタ１００は、窓である開閉部２０２の後方に配置された経路端ストッパ２０５を備えている。経路端ストッパ２０５によって、第２の平面において、閉塞パネル１２０がスライドする下端位置を定めることができる。したがって、下端スラット１２２は、閉塞パネル１２０が建物内で完全に展開するときに、経路端ストッパ２０５と接するように作られている。制御回路１５１による自動制御を可能にするために、経路端ストッパ２０５と下端スラット１２２との接触を検出することができるセンサを、経路端ストッパ２０５に取り付けることができる。経路端ストッパ２０５は、壁２０１に形成されている開口の下端部分を横切るように延在しているバーの形態に作られている場合がある。
【００３４】
ロールシャッタ１００は、閉塞パネル１２０が第２の平面上で展開位置にあるときに、ガラス２０３と閉塞パネル１２０との間の空間と、閉塞パネル１２０の後方の空間とを連絡させる下部開口を形成するように、壁２０１の開口に取り付けられることが好ましい。図示の例においては、壁２０１と経路端ストッパ２０５との間に垂直空間を作り、経路端ストッパ２０５と開閉部２０２のフレーム２０４との間に水平空間を作ることによって、下部開口２０６、２０７が形成されている。
【００３５】
図４の、ハウジング１１０の内部の断面図は、この実施形態による案内装置のさらなる詳細を示している。ハウジング１１０は、下部パネル１４１および１４２を有している。下部パネル１４１および１４２は、どちらも、第１の開口１６１を、第１の平面の真上に位置するように形成されている。したがって、第１の開口１６１は、閉塞パネル１２０が、ハウジング１１０から第１の平面上に飛び出ることを可能にする。下部パネル１４１および１４２は、どちらも、第２の開口１６２を、第２の平面の真上に位置するように形成されている。したがって、第２の開口１６２は、閉塞パネル１２０が、ハウジング１１０から第２の平面上に飛び出ることを可能にする。
【００３６】
案内装置は、案内チャネル１３３を有することが好ましい。案内チャネル１３３は、開口１６１の真上に設けられている。案内チャネル１３３は、さらに、閉塞パネル１２０が、その引き込み位置から、第１の平面上の展開位置に変位するときに、閉塞パネル１２０の下端スラット１２２を受容し、その下端スラット１２２を、開口１６２に向かって正確に送るために、開口１６１に向かって狭くなる断面を有している。案内装置は、さらに、次に説明するように、閉塞パネル１２０の展開の切り換えを可能にする展開切り換えストッパ１３４を有している。展開切り換えストッパ１３４は、シャフト１３０、および巻き上げられた状態の閉塞パネル１２０より下方に配置されていることが好ましい。展開切り換えストッパ１３４は、引き込み位置に巻き上げられた状態の閉塞パネル１２０の真下になるように配置されていることが好ましく、またシャフト１３０の回転軸から横方向にずれていることが好ましい。展開切り換えストッパ１３４は、実質的に開口１６２の真上に配置されている、横方向に延在しているシャフト（その断面は必ずしも円形でなくてもよい）の形態を呈していることが好ましい。さらに、展開切り換えストッパ１３４より建物の内側側で、かつ実質的に開口１６２の真上に、案内プレート１３５が配置されている。案内プレート１３５は、閉塞パネル１２０が展開切り換えストッパ１３４に接したときに、閉塞パネル１２０を開口１６２に向けて案内することができるように傾斜している。
【００３７】
案内チャネル１３３に替えて、または案内チャネル１３３に加えて、外側のスライドレール１１１を用いることができる。この場合には、外側のスライドレール１１１の上部開口は、下端スラット１２２のスライド中に、下端スラット１２２を受容し、次いで、下端スラット１２２を、これらの外側のスライドレール１１１の中央部分に送るように広げられている。展開切り換えストッパ１３４に替えて、または展開切り換えストッパ１３４に加えて、内側のスライドレール１１１を用いることができる。この場合には、内側のスライドレール１１１の上部開口は、下端スラット１２２のスライド中に、下端スラット１２２を受容し、次いで、下端スラット１２２を、これらの内側のスライドレール１１１の中央部分に送るように広げられている。
【００３８】
ハウジング１１０を介して、建物の内部と外部との間に、望ましくないいかなる熱交換も生じることがないように、ロールシャッタ１００は、閉塞パネル１２０の位置に応じて、開口１６１または開口１６２を選択的に塞ぐ断熱装置を有していることが好ましい。下部パネル１４１と１４２との間でスライドするように嵌め込まれている可動シャッタ１４０を有する閉塞装置が示されている。可動シャッタ１４０は、制御回路１５１によって制御されるモータ手段（図示せず）によって駆動される。可動シャッタ１４０は、開口１６１を塞ぐ第１の位置に向かってスライドし、したがって建物の外部からハウジング１１０の内部に向かって、空気が流れることを阻止することができる。この第１の位置においては、閉塞パネル１２０は、開口１６２を通過することができる。可動シャッタ１４０は、さらに、開口１６２を塞ぐ第２の位置に向かってスライドし、したがって、建物の内部からハウジング１１０の内部に向かって、空気が流れることを阻止することができる。この第２の位置においては、閉塞パネル１２０は、開口１６１を通過することができる。
【００３９】
図５〜図８は、引き込み位置から、窓である開閉部２０２を完全に閉塞する外側展開位置への、閉塞パネル１２０の展開の様子を示している。図５は、ハウジング１１０の内部の引き込み位置を占めているロールシャッタ１００を示している。この引き込み位置においては、閉塞パネル１２０は、ガラス２０３を介する光の透過に影響を与えず、建物の内部と外部との間の熱交換に何らの作用も及ぼさない。ロールシャッタ１００は、閉塞パネル１２０を、建物の外側に展開させるように指令される。初期状態において、開口１６１を塞いでいた可動シャッタ１４０は、それらの開口１６１から離れ、開口１６２を塞ぐように移動する。シャフト１３０の回転の向きが、各断面図に示されている。図６に示されているように、シャフト１３０が、歯車付きモータ１５０によって、反時計回りの向き（展開の向き）に回転駆動される。下端スラット１２２は、開口１６１の真上に案内されるように、案内チャネル１３３内に位置している。次に、下端スラット１２２は、開口１６１を通過して、建物の外側に位置する第１の平面上をスライドし始める。図７において、シャフト１３０は、反時計回りの向きに回転し続ける。したがって、閉塞パネル１２０は、中間展開位置にくる。制御回路１５１によって、この中間展開位置を維持することができるようになっていることが好ましい。この中間展開位置において、閉塞パネル１２０は、ガラス２０３を介する光の透過を部分的に遮断する。したがって、この中間展開位置にある閉塞パネル１２０によって、建物の内部の人間に対して一定のプライバシーが保証され、建物の内部への過度の光量の流入が防止され、不法侵入に対する一定の防護が保証される。このような状態においては、建物の内部の人間は、間隙１２３、および下端スラット１２２の直下に形成される開口を通して、一定量の外光を受けることができる。図８において、シャフト１３０は、閉塞パネル１２０が、第１の平面上で完全に展開するまで、反時計回りの向きに回転し続ける。この完全な展開位置においては、下端スラット１２２は、壁２０１に当接している。したがって、スラット１２１同士が互いに接近して、間隙１２３が塞がれるようにぴったりとくっつき合う。したがって、ガラス２０３を介する光エネルギーの透過は阻止され、建物の外部と内部との間の熱交換は最小になる（ガラス２０３は、閉塞パネル１２０の後方の断熱体として働く）。閉塞パネル１２０によって不法侵入から防護され、開閉部２０２を開けることができる。
【００４０】
図９〜図１２は、引き込み位置から、窓である開閉部２０２を閉塞する内側展開位置への、閉塞パネル１２０の展開の様子を示している。図９は、ハウジング１１０の内部の引き込み位置を占めているロールシャッタ１００を示している。ロールシャッタ１００は、閉塞パネル１２０を、建物の内側に展開させるように指令される。初期状態において開口１６２を塞いでいた可動シャッタ１４０は、それらの開口１６２から離れ、開口１６１を塞ぐように移動する。図１０に示されているように、シャフト１３０は、歯車付きモータ１５０によって、時計回りの向き（引き込みのための向き）に回転駆動される。閉塞パネル１２０は、シャフト１３０が、時計回りの向き（引き込みのための向き）に回転駆動され続けると、展開切り換えストッパ１３４に接するようになるように構成されている。シャフト１３０が、時計回りの向きに連続的に回転駆動されると、閉塞パネル１２０は、引き込み位置に維持されずに、展開切り換えストッパに接するようになる。閉塞パネル１２０は、この例においては、地球引力によって、展開切り換えストッパ１３４に接するように誘導されるように構成されていることが好ましい。シャフト１３０の時計回りの向きの回転は、下端スラット１２２が、展開切り換えストッパ１３４に接するようになるまで、継続される。展開切り換えストッパ１３４は、下端スラット１２２を、開口１６２の真上に保つ。次に、図１１に示すように、シャフト１３０は、歯車付きモータ１５０によって、反時計回りの向きに回転駆動される。下端スラット１２２は、必要に応じて案内プレート１３５によって案内されて、開口１６２を通過する。反時計回りの向きの、シャフト１３０の駆動は、図１１に示す中間展開位置に達するまで、継続される。この中間展開位置においては、建物の内部の人間は、ガラス２０３と閉塞パネル１２０との間に生じる温室効果を享受することができる。閉塞パネル１２０とガラス２０３との間の空気が、日光によって暖められる。さらに、このように、閉塞パネル１２０とガラス２０３との間の空気が暖められるために、間隙１２３、および下端スラット１２２の下方の空間を介して、図１１に点線の矢印で示すような空気流が発生する。この空気流によって、捕獲された熱を、建物の内部に拡散させることができる。この中間展開位置をとることによって、建物の外側からの光を利用することができる。中間展開の状態は、入射角が大きいために、日光がより眩しくなる冬季に特に有利である。この中間展開の状態は、生物気候学的に、居住空間に南に面した大きな開閉部が存在する場合に特に有利であることが分かっている。制御回路１５１によって、この中間展開位置を維持することができる。図１２においては、閉塞パネル１２０が、第２の平面上で完全に展開するまで、反時計回りの向きの、シャフト１３０の回転が継続される。
【００４１】
第２の平面（すなわち建物の内部）における閉塞パネル１２０の展開は、特に冬季において、際立って有利である。例えば建物内の人間は、熱供給を受けることができると同時に、不法侵入に対する防護および外部からのプライバシーの確保のレベルを高くすることができる。
【００４２】
閉塞パネル１２０が、図１２に示す展開位置に達すると、制御回路１５１により、シャフト１３０の回転を停止させることが好ましい。この展開位置においては、下部のスラット１２１は互いに当接し合い、上部のスラット１２１は互いに引き離される。したがって、上部に、間隙１２３が明確に現れる。そのため、これらの明確に現れた間隙１２３によって、閉塞パネル１２０の上部間隙が形成される。したがって、この完全展開位置においてさえ、建物の内部において、暖められた空気流、すなわち下部開口２０６および２０７、閉塞パネル１２０とガラス２０３との間の空気空間、および間隙１２３を通り抜ける空気流を得ることができる。
【００４３】
図１３〜図１５は、ユーザが、閉塞パネル１２０に、建物の内側から外側に切り替わるように指令したときの、ロールシャッタ１００の動作を示している。最初に、閉塞パネル１２０が、シャフト１３０の時計回りの向きの回転によって引き込まれる。閉塞パネル１２０が、ハウジング１１０の内部で、シャフト１３０の周囲に巻き上げられると、可動シャッタ１４０が、開口１６１を塞いでいる位置から開口１６２を塞ぐ位置に移動する。次に、閉塞パネル１２０は、シャフト１３０の反時計回りの向きの回転によって、開口１６１を抜けて建物の外側に展開する。
【００４４】
さらに、閉塞パネル１２０が、建物の内側で第２の平面上に展開しているときに、温室効果および熱エネルギーの捕獲を最適にするために、閉塞パネル１２０に、閉塞パネル１２０が第２の平面上に展開しているときに太陽熱コレクタとして働く１つの面を設けることが好ましい。太陽熱コレクタは、光エネルギーを熱に変換する。太陽熱コレクタは、具体的には、特定の塗料を閉塞パネル１２０のこの面に塗布することによって実現することができる。太陽熱コレクタは、スラット１２１を作る材料を適切に選択することによって、例えば暗色の表面を有するように処理された金属を選択することによって実現することもできる。
【００４５】
ロールシャッタ１００は、ハウジング１１０内に収容されたブラッシング装置１３６を備えていることが好ましい。ブラッシング装置１３６は、閉塞パネル１２０が、第１の経路または第２の経路に沿って変位するときに、閉塞パネル１２０をこするように構成されている。ブラッシング装置１３６を用いると、ただ１つの閉塞パネル１２０を、場合によってはスラット１２１上に汚れをつけた状態で、選択的に建物の外側から内側に戻すことができるから、ブラッシング装置１３６は非常に有用であることが分かっている。このように、ブラッシング装置１３６は、建物の内部が汚れることを防止する。ブラッシング装置１３６は、この例においては、開口１６１および１６２において、下部パネル１４１から突き出ているブラシを有している。ブラシは、任意の適切な位置に配置することもできる、例えばハウジング１１０の外側で、スラット１２１から汚れを取り除き続けるために、開口１６１だけに配置することも好ましいことである。
【００４６】
閉塞パネル１２０が引き込まれるとき、下端スラット１２２がハウジング１１０内に入ることが、いかなる障害物によっても妨げられることなく、閉塞パネル１２０が、ハウジング１１０の内部に完全に受容されることが好ましい。
【００４７】
図１６のハウジング１１０の内部の断面図は、ロールシャッタの一変形例を示している。このロールシャッタ１００は、全体的には、図４に示されているロールシャッタと同じ特徴を有している。この変形例においては、ハウジング１１０によって与えられる断熱効果の改善のために、可動シャッタ１４０は、より大きくされている。
【００４８】
本明細書においては、ユーザによって与えられる指令は、リモコンを用いてなされると説明しているが、ロールシャッタ１００の動作を、建物の外部との熱交換を最適にするためのパラメータの関数として、ホームオートメーションシステムによって管理することも想定しうることである。
【符号の説明】
【００４９】
１００  ロールシャッタ
１１０  ハウジング
１１１  スライドレール
１２０  閉塞パネル
１２１  スラット
１２２  下端スラット
１２３  間隙
１３０  シャフト
１３１、１３２  軸受
１３３  案内チャネル
１３４  展開切り換えストッパ
１３５  案内プレート
１３６  ブラッシング装置
１４０  可動シャッタ
１４１、１４２  下部パネル
１５０  歯車付きモータ
１５１  制御回路
１６１、１６２  開口
２０１  壁
２０２  開閉部
２０３  ガラス
２０４  フレーム
２０５  経路端ストッパ
２０６、２０７  下部開口
２１０  リモコン
２１１  ボタン
【図１】
2013540219.tif 000003
【図２】
2013540219.tif 000004
【図３】
2013540219.tif 000005
【図４】
2013540219.tif 000006
【図５】
2013540219.tif 000007
【図６】
2013540219.tif 000008
【図７】
2013540219.tif 000009
【図８】
2013540219.tif 000010
【図９】
2013540219.tif 000011
【図１０】
2013540219.tif 000012
【図１１】
2013540219.tif 000013
【図１２】
2013540219.tif 000014
【図１３】
2013540219.tif 000015
【図１４】
2013540219.tif 000016
【図１５】
2013540219.tif 000017
【図１６】
2013540219.tif 000018
【国際調査報告】
2013540219.tif 000019
2013540219.tif 000020
2013540219.tif 000021
2013540219.tif 000022